(57)【要約】【課題】掻取軸に突設する調節アームとエプロンの組み付けを容易にすると共に、係合溝に大きな隙間を生ずることなく嵌合させることにより、精度の高い苗の掻取りを行うことができる移植機における苗の掻取量調節構造を提供する。【解決手段】掻取調節レバー２６を有する掻取軸２７に突設した調節アーム２９の幅中間位置にアーム溝３３を切欠し、アーム先端側からアーム取付部３０に向けて弾性力を生じさせるアーム部３１を形成すると共に、アーム取付部３０にアーム溝３３の溝幅より大きな直径を有してアーム溝３３と連通するアーム基部孔３５を穿設し、該アーム基部孔３５内に溝幅規制部材３６を係脱自在に嵌合させることにより、弱弾性変形部３１ａの孔内方側への撓み変形を規制し、エプロン１０の係合溝２２と調節アーム２９のアーム頭部３２とを嵌合自在に構成する。【選択図】図５
2017093345.tif 000002
【特許請求の範囲】
【請求項１】
傾斜姿勢の苗載台（８）に載置される複数のマット苗を受け止めるエプロン（１０）に形成される係合溝（２２）に、掻取調節レバー（２６）を有する掻取軸（２７）にアーム取付部（３０）を介して突設した調節アーム（２９）のアーム頭部（３２）を嵌合させ、掻取調節レバー（２６）の操作に基づき調節アーム（２９）を前後回動してエプロン（１０）を昇降移動させることにより、植付爪（９）による苗の掻取量を調節可能に構成した移植機における苗の掻取量調節構造において、
前記調節アーム（２９）を、アーム取付部（３０）の広幅板からアーム頭部（３２）との間に前後方向に幅狭なアーム部（３１）を設けて形成し、アーム頭部（３２）とアーム部（３１）との幅中間位置に、アーム先端側からアーム取付部（３０）に向けてアーム部（３１）に弾性力を生じさせる所定幅のアーム溝（３３）を切欠形成すると共に、上記アーム取付部（３０）にアーム溝（３３）の溝幅より大きな直径を有してアーム溝（３３）と連通するアーム基部孔（３５）を穿設することにより、上記アーム部（３１）の基部に肉薄で弱い弾性力を生じさせる弱弾性変形部（３１ａ）を形成する一方、上記アーム基部孔（３５）内に一側から係脱自在に嵌合させて弱弾性変形部（３１ａ）の孔内方側への撓み変形を規制する溝幅規制部材（３６）を設けることにより、エプロン１０の係合溝（２２）と調節アーム（２９）のアーム頭部（３２）とを嵌合自在に構成することを特徴とする移植機における苗の掻取量調節構造。
【請求項２】
掻取軸（２７）に突設する各調節アーム（２９）のアーム基部孔（３５）に、一側から個別に嵌合させる溝幅規制部材（３６）を係脱自在に取付ける請求項１記載の移植機における苗の掻取量調節構造。
【請求項３】
掻取軸（２７）に突設する各調節アーム（２９）のアーム基部孔（３５）に、一側から一連に嵌合させる１本の溝幅規制部材（３６）を係脱自在に取付ける請求項１記載の移植機における苗の掻取量調節構造。
【発明の詳細な説明】
【技術分野】
【０００１】
本発明は、エプロンを昇降させて苗の掻取量調節を行なう移植機における苗の掻取量調節構造に関する。
【背景技術】
【０００２】
従来、後傾斜姿勢の苗載台に載置される複数のマット苗を、苗の掻取量調節構造を備えるエプロンによって受け止め、該エプロンを掻取調節レバーの操作によって調節アームを前後方向に回動することにより昇降動作（上下動）し、植付爪による苗の掻取量を調節する掻取量調節構造を備えた移植機が既に公知である。（例えば特許文献１）
上記苗の掻取量調節構造は、エプロン台に形成した係合溝に、掻取調節レバーを有する掻取軸に支持間隔を有して横１列状に突設した複数の調節アームの頭部を嵌合して組み付けることにより、調節アームの前後回動を介しエプロンを傾斜方向に前後移動させる構成となっている。
【先行技術文献】
【特許文献】
【０００３】
【特許文献１】特開２０１１−２０６０１０号公報
【発明の概要】
【発明が解決しようとする課題】
【０００４】
上記特許文献１で示される苗の掻取量調節構造は、掻取調節レバーを有する横長な操作軸に各調節アームを突設する際に、取付け突出角や頭部の前後幅に加工誤差を生じ易いこと、及びアルミ製で横長のエプロン台に凹入形成される係合溝が、エプロン台の組み付け時のねじれ及び左右の取付け高さ等に微小誤差を生じ易いため、これら誤差が組み付け時に大きく集積する場合には、複数の調節アームのいずれかのアーム頭部が、係合溝の前溝壁又は後溝壁に接当したり齧ることになって、両者の嵌合組み付け作業が困難になるものである。このため、エプロンを製作する際に、上記集積誤差の最大量を見込んだ広幅な係合溝をエプロン台に成形することにより、掻取軸から横１列状に突設される調節アームの誤差が大きい場合の組み付け作業を容易にするようにしている。
然しながら、上記従来のエプロンのように係合溝の前後幅を広くすると、掻取軸に突設される調節アームの加工精度が良好で誤差が僅少である場合には、係合溝の前溝壁又は後溝壁との間に大きな隙間を生じた状態になるため、掻取調節レバーを操作して調節アームを回動したとき、この大きな隙間（以下作動ロス間隙と言う）分だけ不測にエプロンが前後方向にズレ移動したり、左右方向にズレて傾いたりすること、及びこれに起因してエプロンが少なく作動したりする作動ロス現象によって、掻取量調節時の作動精度不良を伴う欠点がある。また大きな作動ロス間隙を有して調節アームに組み付けられるエプロンは、前後方向にガタツキ移動し易いため凹凸地面を操行する際の機体振動によって、騒音の発生や掻取り苗を乱すことによる植付作業の精度を低下させる等の問題がある。
【課題を解決するための手段】
【０００５】
上記課題を解決する本発明は、第１に、傾斜姿勢の苗載台８に載置される複数のマット苗を受け止めるエプロン１０に形成される係合溝２２に、掻取調節レバー２６を有する掻取軸２７にアーム取付部３０を介して突設した調節アーム２９のアーム頭部３２を嵌合させ、掻取調節レバー２６の操作に基づき調節アーム２９を前後回動してエプロン１０を昇降移動させることにより、植付爪９による苗の掻取量を調節可能に構成した移植機における苗の掻取量調節構造において、
前記調節アーム２９を、アーム取付部３０の広幅板からアーム頭部３２との間に前後方向に幅狭なアーム部３１を設けて形成し、アーム頭部３２とアーム部３１との幅中間位置に、アーム先端側からアーム取付部３０に向けてアーム部３１に弾性力を生じさせる所定幅のアーム溝３３を切欠形成すると共に、上記アーム取付部３０にアーム溝３３の溝幅より大きな直径を有してアーム溝３３と連通するアーム基部孔３５を穿設することにより、上記アーム部３１の基部に肉薄で弱い弾性力を生じさせる弱弾性変形部３１ａを形成する一方、上記アーム基部孔３５内に一側から係脱自在に嵌合させて弱弾性変形部３１ａの孔内方側への撓み変形を規制する溝幅規制部材３６を設けることにより、エプロン１０の係合溝２２と調節アーム２９のアーム頭部３２とを嵌合自在に構成することを特徴としている。
第２に、掻取軸２７に突設する各調節アーム２９のアーム基部孔３５に、一側から個別に嵌合させる溝幅規制部材３６を係脱自在に取付けることを特徴としている。
第３に、掻取軸２７に突設する各調節アーム２９のアーム基部孔３５に、一側から一連に嵌合させる１本の溝幅規制部材３６を係脱自在に取付けることを特徴としている。
【発明の効果】
【０００６】
請求項１に係る発明によれば、傾斜姿勢の苗載台に載置される複数のマット苗を受け止めるエプロンに形成される係合溝に、掻取調節レバーを有する掻取軸にアーム取付部を介して突設した調節アームのアーム頭部を嵌合させ、掻取調節レバーの操作に基づき調節アームを前後回動してエプロンを昇降移動させることにより、植付爪による苗の掻取量を調節可能に構成した移植機における苗の掻取量調節構造において、
前記調節アームを、アーム取付部の広幅板からアーム頭部との間に前後方向に幅狭なアーム部を設けて形成し、アーム頭部とアーム部との幅中間位置に、アーム先端側からアーム取付部に向けてアーム部に弾性力を生じさせる所定幅のアーム溝を切欠形成すると共に、上記アーム取付部にアーム溝の溝幅より大きな直径を有してアーム溝と連通するアーム基部孔を穿設することにより、上記アーム部の基部に肉薄で弱い弾性力を生じさせる弱弾性変形部を形成する一方、上記アーム基部孔内に一側から係脱自在に嵌合させて弱弾性変形部の孔内方側への撓み変形を規制する溝幅規制部材を設けることにより、エプロンの係合溝と調節アームのアーム頭部とを嵌合自在に構成することにより、
調節アームと係合溝とを嵌合させてエプロンの組み付けを行なう際に、自由長姿の調節アームのアーム頭部を弾性力の弱い弱弾性変形部を介して撓ませながら係合溝内に簡単に挿入することができると共に、挿入状態でアーム基部孔内に嵌合する溝幅規制部材を介して、アーム頭部を係合溝の前後の溝壁に大きな隙間を生ずることなく弾力的に接当させることができるので、調節アームが有する突出角等の加工誤差に支障されることなく、エプロンの組み付けを容易にすることができる。そして、掻取調節レバーの操作に基づき調節アームを前後方向に回動させて行うエプロンの昇降移動を、弱弾性変形部の弱い弾性力とアーム部の強い弾性力を介してガタツキや無理を生ずることなくスムーズにすることができ、植付爪による苗の掻取量調節を精度よく確実にすることができる。
請求項２の発明によれば、掻取軸に突設する各調節アームのアーム基部孔に、一側から個別に嵌合させる溝幅規制部材を係脱自在に取付けることにより、
係合溝に挿入した状態の個々の調節アームに対し、そのアーム基部孔に一側から溝幅規制部材を個別に挿入し、弱弾性変形部を孔外方に向けて押接移動させて嵌合することができるので、アーム部を介しアーム頭部を係合溝の前後の溝壁に大きな隙間を生ずることなく弾力的に接当させることができると共に、個々の調節アームが有する突出角等の誤差に対応した係合溝との接当調節を簡単に行うことができる。
請求項３の発明によれば、掻取軸に突設する各調節アームのアーム基部孔に、一側から一連に嵌合させる１本の溝幅規制部材を係脱自在に取付けることにより、
１本の長い棒部材にした溝幅規制部材は、各アーム基部孔に一側から一連に嵌合して弱弾性変形部の孔内方側への撓み変形を規制するため、個々の調節アームが有する突出角等の誤差を平準化させることができるので、アーム頭部と係合溝の前後の溝壁との間に大きな隙間を生じさせない接当を簡単な構成によって能率よく行うことができる。
【図面の簡単な説明】
【０００７】
【図１】移植機の側面図である。
【図２】植付装置の要部の構成を示す斜視図である。
【図３】苗の掻取量調節構造を一部破断して示す側面図である。
【図４】調節アームと溝幅規制部材の構成を示す斜視図である。
【図５】調節アームと係合溝との嵌合態様を示す側面図である。
【図６】他の実施形態に係わる調節アームと係合溝との嵌合態様を示す側面図である。
【図７】溝幅規制部材の他の実施形態を示す平断面図である。
【発明を実施するための形態】
【０００８】
本発明の一実施形態を図面に基づいて説明する。図１において符号１は乗用田植機（移植機）であって、前輪１ａと後輪１ｂを左右に有する走行機体２の前側にエンジンを搭載してボンネット３で覆い、後方にハンドル４ａと操作パネル部及び座席４ｂ等からなる操縦部４を設置し、機体後部に構成される昇降機構５に植付装置６を着脱自在に装着している。この植付装置６は、６条分のマット苗を左右並列状に載置する苗載台８を前高後低状の傾斜姿勢とし左右に往復移動させながら、植付爪９によって苗載台８のエプロン１０から苗を掻取り圃場に植付けることができる。また機体前部でボンネット３の左右には、予備苗（マット苗）を載置する予備苗載台８ａを設けている。
【０００９】
上記植付装置６は在来のものと同様な構成によって図１,図２に示すように、横向きの植付部フレーム１１に、植付爪９を回転駆動する植付爪ユニット９ａを左右に備える植付爪伝動ケース１２を、所定の間隔を有して３体取付けている。各植付爪伝動ケース１２の下部には、リンク機構１３を介して橇状のフロート１４を設けている。また走行機体２の後部からＰＴＯ伝動軸１５を介して入力軸１５ａに伝動し、該入力軸１５ａから伝動変換機構を内装する入力変換伝動ケース１５ｂを介し、該入力変換伝動ケース１５ｂが有する横出力軸１２ａから、各植付爪伝動ケース１２に入力すると共に、図示しない苗載台伝動系を介し苗載台８を横方向に苗送り往復駆動させるようにしている。
【００１０】
苗載台８は、裏面側の中途部を植付爪伝動ケース１２側に設置されて苗載台８を横方向に往復駆動させる苗載台駆動部１６に連系させた状態で、前側の下部を前記植付部フレーム１１から立設される左右の縦フレーム１７に、横向きのスライド支持部１９を介して支持し、且つ後端部（下部）をエプロン１０に載置した状態で、左右（横方向）にスライド自在に支持している。
【００１１】
エプロン１０は図２,図３,図５に示すように、苗載台８の下端に対向してマット苗の後端部を受けるように立設される苗受壁１０ａと、苗載台８の裏側に横向きに固設される逆コ字状のスライドピース（摺動片）２０をスライド自在に係合させるエプロン台１０ｂとからなる引抜き形成体によって構成され、その左右幅を苗載台８の幅と１条分のマット苗を横送りさせるスライド幅を有する長さにしている。
【００１２】
上記苗受壁１０ａは、各植付爪９の回転軌跡に臨む位置に苗の植付間隔を有し、植付爪９を通過させて１株分の苗を掻取らせる掻取口２１を切欠形成している。
エプロン台１０ｂは、底面の中央部に苗受壁１０ａと平行する係合溝２２を方形状の凹溝状断面によって形成している。尚、図示例のエプロン１０は、在来の植付装置６に採用されているアルミニウム製の引抜き成形体によって製作したものを兼用することができる。
【００１３】
一方、各植付爪伝動ケース１２は図２，図３に示すように、前後方向の中途部に設けた３体のホルダ部２３ａを介し、棒状のエプロン支持杆２３を上向きの傾斜角を有して突設している。このエプロン支持杆２３は、前記エプロン１０を横方向移動を不能にしながら、苗載台８の傾斜方向移動をスライド可能とするように支持している。そして、各植付爪伝動ケース１２は、エプロン支持杆２３の前側下方にブラケット２５を着脱自在に取付け、各ブラケット２５を介して掻取調節レバー２６を有する掻取軸２７を回動操作自在に軸支している。
【００１４】
掻取調節レバー２６は、その前部側を植付部フレーム１１に固設したレバーガイド２８のガイド溝２８ａに挿入した状態で、掻取軸２７を支点に前後回動すると、回動位置をガイド溝２８ａに沿って段階的に上下位置決め操作することができる。また横長の掻取軸２７は、前記掻取調節レバー２６を軸長の左側寄りで中央の植付爪伝動ケース１２の近傍に固設していると共に、掻取調節レバー２６の左側と右側の軸周に、前記エプロン１０の係合溝２２に挿入して嵌合させる複数の調節アーム２９を突設している。この調節アーム２９は、掻取軸２７に直径方向に取付けるアーム取付部３０を縦向きの広幅板にしていると共に、該アーム取付部３０から延長させたアーム部３１の先端に、係合溝２２内に挿入して前後の溝壁に嵌合状態で摺接させるアーム頭部３２を形成している。
【００１５】
これにより、図示する苗の掻取り位置から、掻取調節レバー２６を下方に回動操作すると、掻取軸２７及び調節アーム２９を介しエプロン１０を実線矢印方向に上昇移動させて、苗の掻取り量を順次少量となすように調節することができる。
また上記操作位置から掻取調節レバー２６を上方に回動操作すると、エプロン１０を点線矢印方向に移動させて苗の掻取り量を多量にすることができる。このとき苗載台８は、掻取調節レバー２６の操作量に応じたエプロン１０の傾斜方向移動によって同方向に前後移動（昇降）する。
【００１６】
そして、実施形態の掻取量調節構造は図２〜図５に示すように、各調節アーム２９を、アーム取付部３０の広幅板からアーム頭部３２との間に前後方向（縦向き）に幅狭なアーム部３１を設けて形成し、アーム頭部３２とアーム部３１との幅中間位置に、アーム先端側からアーム取付部３０に向けてアーム部３１に弾性力を生じさせる所定幅のアーム溝３３を切欠形成すると共に、上記アーム取付部３０にアーム溝３３の溝幅より大きな直径を有してアーム溝３３と連通するアーム基部孔３５を穿設することにより、上記アーム部３１の基部に該アーム部３１のアーム幅より肉薄で弱い弾性力を生じさせる弱弾性変形部３１ａを形成している。
【００１７】
そして、アーム溝３３を介して前後二股状に形成されるアーム部３１の先端に、側面視でエプロン１０の係合溝２２内で前後の溝壁との間に大きな隙間を生ずることなく嵌合して摺接するアーム頭部３２を滑らかなアール面によって突出形成している。これにより調節アーム２９は、前後のアーム頭部３２が係合溝２２の前溝壁と後溝壁にそれぞれ弾力的に摺接し、両者間での大きな隙間の発生によるガタツキを防止し精度の高い掻取量調節を可能にしている。また二股状に形成される前後のアーム部３１の弾性力によって、係合溝２２の嵌合作業を容易にし、エプロン１０の組み付け作業を簡単且つ能率よく行うことを可能にしている。
【００１８】
即ち、実施形態の調節アーム２９は図４,図５に示すように、前後のアーム頭部３２とアーム部３１の幅中間位置に穿設されるアーム溝（スリット）３３及びアーム基部孔３５とを介し、二股状をなすアーム部３１を前後対称形状にしている。そして、アーム溝３３相当長さ部分の前後のアーム部３１は、前記アーム基部孔３５の円弧部分の弱弾性変形部３１ａの厚さ（アーム基部厚さ）より、アーム厚さ（前後幅）をやや肉厚にし、弱弾性変形部３１ａより強い弾性力を有する強弾性変形部となるようにしている。一方、アーム基部孔３５には、一側から係脱自在に嵌合させて弱弾性変形部３１ａの孔内方側への撓み変形を規制する丸棒やピン等の溝幅規制部材３６を着脱自在に設けることにより、エプロン１０の係合溝２２と調節アーム２９のアーム頭部３２とを、隙間の発生を抑制して嵌合自在にする溝幅規制構造を後述するように構成している。
【００１９】
以上のように構成して掻取軸２７に突設される各調節アーム２９は、加工後の無負荷時の自由長姿は図５に２点鎖線で示すように、前後のアーム部３１がアーム溝３３の先端側を少し拡開する開き姿勢となし、この時の前後のアーム頭部３２のアール面頂部間の頭部幅（差込幅）は、エプロン１０の係合溝２２の係合溝幅Ｈよりやや大きくなるようにしている。そして、各調節アーム２９は、掻取軸２７に対しアーム取付部３０の広幅板基部を、所定の取付間隔と突出角度を有し溶接等の固定手段によって横１列状に取付けたユニット部品にしている。
【００２０】
次いで、ユニット部品の掻取軸２７を、複数のブラケット２５を介して植付爪伝動ケース１２に組み付けセットする。こののち図２,図３に示すように掻取軸２７から横１列状に上向き姿勢になっている各調節アーム２９のアーム頭部３２に、エプロン台１０ｂの底面に形成される方形凹溝状断面の係合溝２２を上方から下方に向けて嵌合する。次いで、溝幅規制構造の溝幅規制部材３６を、各アーム基部孔３５に一側から挿入し位置決め固定することにより、調節アーム２９に対するエプロン１０の組み付け作業を完了することができる。
【００２１】
実施形態の溝幅規制構造は図４,図５に示すように、掻取軸２７に突設される各調節アーム２９のアーム基部孔３５に、一側から順次一連に挿入することができる断面と長さを有する１本の溝幅規制部材３６と、掻取軸２７の両端側に突設されて溝幅規制部材３６の両端側を着脱自在に取付けることができる帯板状の取付部材３７とから構成している。図示例の溝幅規制部材３６は、断面を通し孔３７ａに嵌合する円形の丸棒部材としており、その端部に前記取付部材３７の側面に接当させる取付座３６ａを一体的に設けている。また掻取軸２７に突設される各取付部材３７は、帯板の両側に溝幅規制部材３６を挿入自在な通し孔３７ａと、取付座３６ａの端部を位置決め自在に取付ける長孔状の取付孔３７ｂを設け溝幅規制構造にしている。
【００２２】
この溝幅規制構造を備える移植機１は図３に示すように、掻取調節レバー２６を下方回動操作し調節アーム２９を矢印方向に回動すると、エプロン１０を上昇させる作動負荷がアーム頭部３２に大きく加わり、アーム部３１を介し弾性力の弱い弱弾性変形部３１ａを下向きに曲げアーム溝３３を狭くしようとする。このときアーム基部孔３５に挿入嵌合している溝幅規制部材３６が、孔内周面と強く接当し弱弾性変形部３１ａの孔内方への撓み変形（変形移動）を規制するため、上記作動負荷を前後のアーム部３１が強い弾性力によって無理なく受けて微小撓みを許容しながら緩衝するので、調節アーム２９と係合溝２２との間に大きな隙間を生じさせることなく、エプロン１０を確実且つスムーズに上昇移動させる。
【００２３】
また掻取調節レバー２６の上方回動操作に伴い調節アーム２９が点線矢印方向に回動するとき、アーム頭部３２に加わるエプロン１０を下昇させる作動負荷によって、弾性力の弱い弱弾性変形部３１ａを上向きに曲げてアーム溝３３を狭くしようとするが、挿入されている溝幅規制部材３６が弱弾性変形部３１ａの孔内方への撓み変形を接当規制し上記作動負荷をアーム部３１の強い弾性力で受けるため、齧り等を生じて動き難くなっている場合のエプロン１０であっても、確実且つスムーズに下降移動させることができる。
【００２４】
尚、溝幅規制部材３６は、円形断面に限定することなく楕円形状等の異形断面にすることもできる。この場合には、異形断面の溝幅規制部材３６は、所定量だけ回動させてアーム基部孔３５に対する接当位置調節をすることができるので、その大径部を弱弾性変形部３１ａ側に強く接当させてその内方側への弾性変形をより確実に規制することができる等の特徴がある。
【００２５】
以上のように構成される移植機１は、掻取量調節作動を行なう調節アーム２９を、アーム取付部３０とアーム頭部３２との間で幅狭のアーム部３１を設けた形状となし、アーム先端側からアーム取付部３０に向けて所定幅のアーム溝３３を切欠形成し、このアーム溝３３によって二股状の前後のアーム部３１に弾性力を生じさせると共に、アーム取付部３０にアーム溝３３の溝幅より大きな直径を有して穿設したアーム基部孔３５に連通させ、前後のアーム部３１より肉薄で弱い弾性力の弱弾性変形部３１ａを形成した構成にしている。
【００２６】
これにより調節アーム２９と係合溝２２との嵌合作業は、溝幅規制部材３６を取付けない状態の調節アーム２９のアーム頭部３２に対し、前記したように係合溝２２の開口端を載せ掛けた状態で、エプロン１０を下方に向けて押接する動作によって行う。このとき調節アーム２９は、係合溝２２の開口端がアーム頭部３２のアール面（斜面）に沿って押動される作用によってアーム溝３３が狭められ、図５に実線で示すように頭部幅を係合溝幅Ｈより小さくし、アーム頭部３２を係合溝２２内の所定位置に速やかに嵌合する。
【００２７】
そして、調節アーム２９と係合溝２２を嵌合させた後には、各調節アーム２９のアーム基部孔３５に一側から溝幅規制部材３６を挿入して、弱弾性変形部３１ａが孔内方側へ撓み変形をすることを防止する。これにより移植機１はエプロン１０の組み付けを完了し、植付装置６の苗載台８にマット苗を載せた状態で苗の植付作業を行うことができ、掻取調節レバー２６を操作したとき、掻取軸２７を介し調節アーム２９を前後方向に回動させてエプロン１０の昇降移動を行い、植付爪９による苗の掻取量調節を所望に行いながら精度の高い植付作業を行うことができる。
【００２８】
即ち、植付作業伴に伴う苗の掻取量調節時に、エプロン１０が苗荷重や一時的な齧り現象によって大きな昇降抵抗を生じている場合に、掻取調節レバー２６を操作すると、アーム部３１を介し弱弾性変形部３１ａにエプロン１０の高作動負荷が集中し、該弱弾性変形部３１ａが孔内方に大きく撓み変形をしようとして溝幅規制部材３６に接当する。これにより弱弾性変形部３１ａは、大きな撓み変形を溝幅規制部材３６によって規制されるため、調節アーム２９の永久変形や破損等にともなうトラブルを未然に防止することができる。
【００２９】
そして、各調節アーム２９は、上記のような掻取量調節時の高作動負荷を溝幅規制部材３６によって受け支持した状態で、アーム部３１が強い弾性力を介して受けるようにするため、該アーム部３１が強い弾性力によって負荷緩衝をする。これにより調節アーム２９は、高作動負荷に支障されたり無理を生ずることなく、エプロン１０を操作方向に作動させて苗の掻取量調節をスムーズに行うことを可能にする。また調節アーム２９は、溝幅規制部材３６を介し前後のアーム頭部３２を係合溝２２に隙間なく弾力的に接当させることができるため、調節アーム２９と係合溝２２との大きな隙間の発生に伴うガタの発生や掻取量調節時の作動精度不良等の従来構造による欠点を簡単に改善する等の特徴がある。
【００３０】
尚、上記実施形態の調節アーム２９は、既述のように加工後の無負荷時に自身の剛性による自由長姿を図５に２点鎖線で示すように、前後のアーム部３１がアーム溝３３の先端側を拡開する開き姿勢になるようにしたが、これに限ることなく自由長姿を図６に２点鎖線で示すように、前後のアーム部３１がアーム溝３３の先端側を狭く閉じる方向の閉じ姿勢になるようにしてもよいものである。この場合の調節アーム２９は、各部の大きさと形状は略同じにしているが、前後のアーム頭部３２のアール面頂部との間の頭部幅（差込幅）は、係合溝２２の係合溝幅Ｈより小さくなる。
【００３１】
この調節アーム２９によれば、掻取軸２７から１列状に上向き姿勢になっている各アーム頭部３２に係合溝２２を位置合わせをした状態で、エプロン１０を下方に向けて降ろす動作によって簡単に嵌合することができる。そして、この状態において溝幅規制部材３６を、各アーム基部孔３５に一側から押し込み挿入することにより、該溝幅規制部材３６の外周面が弱弾性変形部３１ａを弱い弾性力に抗して孔外方側に向けて変形させながら押上げ、アーム溝３３を前記図５で示すアーム溝３３と同様なアーム溝幅にすることができる。
【００３２】
このとき前後のアーム頭部３２は、そのアール面が係合溝２２の前溝壁と後溝壁に大きな隙間を生ずることなく接当摺接させることができる。従って、この場合の掻取量調節構造も、エプロン１０の組み付けを容易にしながら、ガタの発生や掻取量調節時の作動精度不良等を生じなくすることができる。また溝幅規制部材３６を１本の長い棒部材にして各アーム基部孔３５に一側から一連に挿入し位置決め固定する溝幅規制構造は、掻取軸２７に突設される複数の調節アーム２９毎に生じている突出角（回動角）等の誤差を平準化させて軽減しながら、簡潔で安価な構成によって係合溝２２に弾性力を有して簡単に嵌合接当させることができる等の特徴がある。
【００３３】
次に、図７を参照し溝幅規制部材３６の別実施形態について説明する。尚、前記実施形態と同様な構成及び作用等については同一符号を付し説明を省略する。この溝幅規制部材３６は、掻取軸２７から突出する各調節アーム２９のアーム基部孔３５に、一側から個別に嵌合させる溝幅規制部材３６を係脱自在に取付けるようにしている。図７に示す溝幅規制部材３６は、外周をテーパ面にしている円錐部（部材本体）３６ｂの径小側端にネジ部３６ｃを形成し、径大端側にスパナを係合自在な頭部３６ｄを設けて一体化したテーパピンにしている。そして、この場合の調節アーム２９は、前記図６に示すものと同様な構造としており、アーム基部孔３５は上記円錐部３６ｂを隙間なく嵌合させるテーパー孔にしている。
【００３４】
この構成による溝幅規制構造は、係合溝２２に嵌合した状態の調節アーム２９に対し、そのアーム基部孔３５に一側から溝幅規制部材３６を挿入し、他側に突出するネジ部３６ｃにナット３９をかけて締着すると、円錐部３６ｂが上下の弱弾性変形部３１ａを孔外方に向けて押動するので、アーム部３１を介しアーム頭部３２を係合溝２２の前後の溝壁に隙間を生ずることなく弾力的に接当させることができる。
従って、この溝幅規制構造は、係合溝２２に対し個々の調節アーム２９が有する突出角等の誤差に対応した係合溝２２との接当調節を簡単且つ確実に行うことができる等の特徴がある。
【００３５】
尚、図示例の植付装置６は、エプロン９を苗載台８の下部に一体的に設けることにより、エプロン９を苗載台８と共に昇降させる構成にしたが、前後移動を固定した苗載台８に対しては、その下部のエプロン１０のみを前後スライド自在に設けるようにしたものであってもよい。
【符号の説明】
【００３６】
１  乗用田植機（移植機）
６  植付装置
８  苗載台
９  植付爪
１０  エプロン
１０ｂ  エプロン台
２２  係合溝
２６  掻取調節レバー
２７  掻取軸
２９  調節アーム
３０  アーム取付部
３１  アーム部（強弾性変形部）
３１ａ  弱弾性変形部
３２  アーム頭部
３３  アーム溝
３５  アーム基部孔
３６  溝幅規制部材
【図１】
2017093345.tif 000003
【図２】
2017093345.tif 000004
【図３】
2017093345.tif 000005
【図４】
2017093345.tif 000006
【図５】
2017093345.tif 000007
【図６】
2017093345.tif 000008
【図７】
2017093345.tif 000009